(57)【要約】【課題】簡易構成のミスト発生装置の提供。【解決手段】超音波振動子の振動により水をミスト化するミスト発生装置において、超音波振動により水をミストに変化させる超音波振動子５５と、該ミストと外部から供給される空気とを混合する内部カバー部６と、該内部カバー部６により空気と混合されたミストを外部に導く導管と、該導管を流れるミストを加熱する加熱部５３からの熱を導管内に導くヒートパイプ５１と、前記導管一方が接続された可撓性をもつホース２と、該ホース２の他方に接続され、前記ホースを通して供給されるミストを一面から排出する第１の挟持部４１及び該第１部の挟持部から排出されたミストを一面から内部を通して外面に排出する導通空間を持つ第２の挟持部４２とから成り、前記挟持部４１及び４２とを開閉自在に構成したミスト排出部４とから成るもの。【選択図】　図１
0003098541.tif 000002
【実用新案登録請求の範囲】
【請求項１】
超音波振動子の振動により水をミスト化するミスト発生装置であって、超音波振動により水をミストに変化させる超音波振動子と、該ミストと外部から供給される空気とを混合する内部カバー部と、該内部カバー部により空気と混合されたミストを外部に導く導管と、該導管を流れるミストを加熱する加熱手段とを備えることを特徴とするミスト発生装置。
【請求項２】
超音波振動子の振動により水をミスト化するミスト発生装置であって、超音波振動により水をミストに変化させる超音波振動子と、該ミストと外部から供給される空気とを混合する内部カバー部と、該内部カバー部により空気と混合されたミストを外部に導く導管と、該導管を流れるミストを加熱する加熱手段と、前記導管のミスト排出部に一方が接続された可撓性をもつホースと、該ホースの他方に接続され、前記ホースを通して供給されるミストを一面から排出する第１の挟持部及び該第１部の挟持部から排出されたミストを一面から内部を通して外面に排出する導通空間を持つ第２の挟持部とから成り、前記第１の挟持部及び第２の挟持部とを開閉自在に構成したミスト排出部とから成ることを特徴とするミスト発生装置。
【請求項３】
ミストを排出するミスト排出部であって、供給されるミストを一面から排出する第１の挟持部と、該第１部の挟持部から排出されたミストを一面から内部を通して他面に排出する導通空間を持つ第２の挟持部と、該第１及び第２の挟持部の根本近傍を開閉自在に連結するジョンイント部とを備え、前記第１及び第２の挟持部の対向する面に各々凸凹を形成し、第１の挟持部の上面から排出したミストが第２の挟持部の導通空間を介して他面に排出する様に構成されていることを特徴とするミスト排出部。
【請求項４】
ミストを排出するミスト排出部であって、供給されるミストを連結口を通して一部が開放した袋体の内部に取り入れると共に、前記袋体に、ミストを外部に排出する複数の排出穴及び前記袋体を部分的に開閉自在な開閉ファスナーを備えたことを特徴とするミスト排出部。
【考案の詳細な説明】
【０００１】
【考案の属する技術分野】
本考案は、超音波振動子によりミストを発生するミスト発生装置と該ミスト発生装置により発生したミストを排出するのに好適なミスト排出部に係り、特に理美容器具として好適なミスト発生装置及びミスト排出部に関する。
【０００２】
【従来の技術】
一般に美容院等においては、例えばパーマをかける際、まずパーマ溶液を髪に塗り、このパーマ溶液の髪に対する定着率を高めるため、このパーマ溶液を塗った髪に蒸気を供給する理美容器具が使用されている。
【０００３】
従来技術による理美容器具としては、例えばタンクに貯水した水をヒータにより加熱して蒸気化し、この蒸気を髪に供給する器具や、沸点近くまで温度を上昇したお湯を超音波振動子によりミスト化し、この加熱されたミストを髪に供給する器具が知られており、前述の器具はスチームアイロン、後述の器具はミストアイロンと呼ばれている。
【０００４】
尚、前記理美容器具に関する技術が記載された文献としては、例えば特開２００２−１２５７６２号公報が挙げられ、これら文献に記載された技術には、ハンディタイプのヘヤーアイロンにおいて、水を小型ヒータにより加熱した蒸気と超音波振動子により発生したミストとを混合し、人の肌又は髪に供給するものと、大型のボイラによって水蒸気を発生し、この水蒸気とミストとを混合したものをゴム製のホース等を介して先端部のブラシ付きヘヤーアイロンに供給し、該ヘヤーアイロンから水蒸気を髪に当てながらスチームアイロンを行うものが記載されている。
【０００５】
【従来技術による問題点】
前述の従来技術による理美容器具は、水自体を沸騰又は沸点近くまで温度上昇させてスチーム化又はミスト化するため、スチーム又はミスト化されなかった余剰な熱湯を排出する際、使用者が火傷する可能性があると言う不具合があった。また前記火傷を防止するためにカバーを付けることも考えられるが、このカバーのために器具が大型化すると言う不具合もあった。
【０００６】
後述の文献記載の従来技術は、水をボイラ又はヒータによって加熱して水蒸気を発生させるために、水を沸騰させるための高温の熱源を用い、この高温の熱源による熱対策として使用者の火傷等を防止するため装置が大型化し、理美容師にとって取扱が不便であると言う不具合があった。具体的に説明すると、ハンディタイプのヘヤーアイロンは、熱源及び水を内部に収納するために本体の大型化且つ重量化を避けることができず、片手でアイロンを取り扱う理美容師にとっては使い勝手が悪いものであった。一方、大型のボイラを用いる装置は、装置本体からアイロンまでの間を耐久性のために針金入りのゴムホース等を用いていたためにホースの重量が重く、使い勝手が悪いものであり、更に高価なものであった。
【０００７】
また前記大型のボイラを用いる装置から発生したミストと混合した蒸気を、顧客に頭部に被せたキップと呼ばれる一部が開放した袋体の内部に取り入れ、前記蒸気によってパーマ液の定着率を高める事が行われているが、このキャップを使用した際、理美容師は、パーマの定着度合いチェック（ウェブチェック）や色具合チェック（カラーチェック）を行うときに前記キャップの一部を捲らなければ前記ウェブチェック及びカラーチェックを行うことができないものであった。
従って、理美容師にとっては、前記キャップの捲りや戻し作業が繁雑であると共に、顧客にとっても何回ものキャップの捲りや戻し作業が不快であると言う不具合があった。
【０００８】
本考案の目的は、前記従来技術による不具合を除去することであり、小型軽量化に優れ、理美容師にとって取扱が容易なミスト発生装置及び該ミスト発生装置に好適なミスト排出部を提供すること、並びに前記ミスト発生装置から発生したミストを顧客頭部に供する際に取扱が容易なミスト排出部を提供することである。
【０００９】
【課題を解決するための手段】
前記目的を達成するために本考案は、超音波振動子の振動により水をミスト化するミスト発生装置において、超音波振動により水をミストに変化させる超音波振動子と、該ミストと外部から供給される空気とを混合する内部カバー部と、該内部カバー部により空気と混合されたミストを外部に導く導管と、該導管を流れるミストを加熱する加熱手段とを備えることを第１の特徴とする。
【００１０】
更に本考案は、超音波振動子の振動により水をミスト化するミスト発生装置において、超音波振動により水をミストに変化させる超音波振動子と、該ミストと外部から供給される空気とを混合する内部カバー部と、該内部カバー部により空気と混合されたミストを外部に導く導管と、該導管を流れるミストを加熱する加熱手段と、前記導管のミスト排出部に一方が接続された可撓性をもつホースと、該ホースの他方に接続され、前記ホースを通して供給されるミストを一面から排出する第１の挟持部及び該第１部の挟持部から排出されたミストを一面から内部を通して外面に排出する導通空間を持つ第２の挟持部とから成り、前記第１の挟持部及び第２の挟持部とを開閉自在に構成したミスト排出部とから成ることを第２の特徴とする。
【００１１】
また本考案は、ミストを排出するミスト排出部であって、供給されるミストを一面から排出する第１の挟持部と、該第１部の挟持部から排出されたミストを一面から内部を通して他面に排出する導通空間を持つ第２の挟持部と、該第１及び第２の挟持部の根本近傍を開閉自在に連結するジョンイント部とを備え、前記第１及び第２の挟持部の対向する面に各々凸凹を形成し、第１の挟持部の上面から排出したミストが第２の挟持部の導通空間を介して他面に排出する様に構成されていることを第３の特徴とする。
【００１２】
更に本考案は、ミストを排出するミスト排出部であって、供給されるミストを連結口を通して一部が開放した袋体の内部に取り入れると共に、前記袋体に、ミストを外部に排出する複数の排出穴及び前記袋体を部分的に開閉自在な開閉ファスナーを備えたことを第４の特徴とする。
【００１３】
【考案の実施の形態】
以下、本考案の一実施形態によるミスト発生装置及びミスト排出部とを図面を参照して説明する。図１は本実施形態によるミスト発生装置本体及びミスト供給部を含む全体構成を説明するための図、図２はミスト発生装置本体の内部構造を説明するための図、図３は本実施形態による内部カバーを説明するための図、図４は本考案によるミスト排出部（ミストアイロン）の一実施形態を説明するための図、図５は本考案によるミスト排出部（キャップ）の一実施形態を説明するための図である。尚、本明細書においては、人の髪にミストを直接的に供するための器具をミスト排出部と呼んで説明する。
【００１４】
＜ミスト発生装置本体１の説明＞
本考案によるミスト発生装置は、図１に示す如く、タンク１１に貯水した水をミストに変化させ且つ加熱後に外部に排出するミスト発生装置本体１と、該ミスト発生装置本体１から供給される加熱ミストを人の髪に供給するためのミスト排出部４と、前記ミスト発生装置本体１から供給されるミストをミスト排出部４に供給する可撓性ホース２とから構成される。
【００１５】
前記ミスト発生装置本体１は、後述する本体内部にタンク１１を挿入するための外部カバー１２と、本装置のミスト発生のオン・オフスイッチ／ミストの温度調整／ミスト発生時間を設定するタイマー／水の残量が少なくなった際に警告を発するブザー及びランプ／マイナスイオン発生のオン・オフスイッチ／オゾン発生のオン・オフスイッチ等を含む操作部１４と、前記ホース２と連結するための突出部１３と、該突出部１３から延び、該可撓性ホース２を支えるための支持部３１が設けられたアーム部３とを備える。
【００１６】
このミスト発生装置本体１の外部カバー１２を外した内部構造は、図２に示す如く、前記タンクの下端と嵌合して所定量の水を排出する突起部５７と、該突起部５７の周囲に設けられ、タンク１１から供給された水を一時的に受け止める水受部５６と、該水受部５６の底部に設けられた溝部５８と、該溝部５８を介して供給された水に超音波振動を加えてミストに変化させる超音波振動子５５と、前記突出部１３と連通する開口部５０と、装置下部に配置された加熱部５３と、前記開口部５０から突出部１３までの間に挿入され、前記加熱部５３により発生した熱を前記連通部分に供給するためのヒートパイプ５１と、外気と連通する空気孔５４と、該空気孔５４から供給される外部空気と超音波振動子５５の振動により発生したミストとを混合して前記開口部５０に導く様に覆う内部カバー６とから構成される。
【００１７】
前記内部カバー６は、図２及び図３に示す如く、底面及び符号６１で示す側面が開口し、前記底面及び側面が超音波振動子５５／加熱部５３／ヒートパイプ５１／開口部５０を密閉的に覆い、且つ前記空気孔５４上部からの空気を入れる開口部６４及び該空気をミストに供給する開口部６３が開口され、空気をミストに導く様に連通するサイド連通部６２が設けられることにより、発生したミストと外部からの空気と混合させながら密閉し、このミストを空気と共に開口部５０に供給する様に構成され、矢印Ａ方向に本体１に挿入されている。
【００１８】
この様に構成されたミスト発生装置本体１は、タンク１１に貯めた水を水受部５６及び溝部５８を介して超音波振動子５５に浸した状態で操作部１４を操作することにより、該超音波振動子５５が水をミストに変化させて内部カバー６内の圧力を上昇させ、この発生したミストを開口部５０から外部に供給し、特に本考案においては前記ミストをヒートパイプ５１からの熱により加熱させ、この加熱したミストを突出部１３から外部に供給する。前記排出部１３から排出されるときのミスト温度は、例えば４０°Ｃ〜５０°Ｃとし、このために加熱部５５の設定温度を排出温度の＋１０°Ｃ程度にするのが好適であるが、これに限られるものではない。
【００１９】
また、前記ホース２は、軽量プラスチック製且つ全体を蛇腹構造を成すことにより可撓性に優れると共に、前記ミスト発生装置本体１の突出部１３部分と、該突出部１３部分から一定の長さを経た部分とを前記アーム部３の支持部３１により支えることにより、ホースの全体重量が後述するミスト排出部４を操作する際に負担となることを低減している。
【００２０】
＜ミスト排出部４の説明＞
前記ミスト排出部４は、図４にその断面を示す如く、前記ホース２の他端から矢印Ｂ方向に供給された加熱ミストを内部の導管４１ａにより導き、導通空間４１ｂの上面に開口された穴から加熱ミストを排出する第１の挟持部４１と、該第１部の挟持部４１から排出されたミストを下面に開口された穴を介して導通空間４２ａに導き、該導通空間４２ａから上面及び側面に開口した穴を介して排出する第２の挟持部４２と、該第１及び第２の挟持部４１及び４２の根本近傍を開閉自在に連結するジョンイント部４３とを備え、供給されたミストを第１の挟持部４１の上面から排出し、且つ、例えば両挟持部間に髪を挟持した際には供給されたミストを第２の挟持部４２に開口した穴内の導通空間４２ａに導いてから外部に排出する様に構成されている。
【００２１】
また前記第１及び第２の挟持部の対向面は、多数の凹凸部が有り、その凹部の底面に穴が開口されていることによって、髪を挟持した際、髪を凸部が押す部位と凹部により押さない部位を交互に形成して空間を設け、該空間によって挟持した髪にミストを十分に供することができる。
【００２２】
＜全体動作説明＞
さて、この様に構成されたミスト発生装置は、ミスト発生装置本体１が、水を超音波振動素子５５によりミストに変化させ、且つヒートパイプ５１により前記ミストを加熱した状態で供給し、この加熱ミストをホース２を介してミスト排出部４の開閉自在な挟持部４１及び４２間でミストを流通させることによって、加熱したミストを髪に供することができる。
【００２３】
従って本実施形態によるミスト発生装置は、水を沸点にまで加熱する加熱用ヒータやボイラーを使用しないために小型軽量化することができ、更に軽量なホース２をアーム部３により支持しているために理美容師の使い勝手を各段に向上することができ、更にミスト排出部４が、挟持部４１／４２間をミストが流通する様に構成したことにより、所定温度のミストを髪に供給してミストアイロンを容易に行うことができる。即ち、本実施形態によれば、水を沸騰させて蒸気を発生する事や水をヒータにより沸点近くまで加熱することなく、発生させたミスト自体を加熱するため、余剰の水を排出する際にも高温水になることがなく、理美容師の火傷を防止することができる。
【００２４】
更に本実施形態によるミスト発生装置は、発生したミストを内部カバー６により外部空気と混合し且つ密閉した状態を保つため、ミストが外部に漏れることを防止し、且つ内部カバー内６の小空間を密閉しているため迅速にミストを供給することができる。また第２の挟持部４２から排出されたミストが顧客にも目視可能なことにより、顧客にミストアイロンの効果を視覚により示すこともできる。
【００２５】
尚、前記実施形態においては、ミスト発生装置本体１の突出部１３にホース２を連結する例を説明したが、例えば美顔用にミストを顔部分に供給する際には、直線状の導管を突出部１３に連結し、該導管の先端からミストを排出する様に構成しても良い。この場合、ミストが空気中で微細水滴が分裂する際に水滴がプラスに帯電し、周囲の空気がマイナスに帯電する「空気のイオン化現象」により、マイナスイオンを顧客に供することができ、これにより細胞の働きを活発化し、新陳代謝を良くすることができる。
【００２６】
このマイナスイオンは、前記ミストにより発生するものであるが、ミスト発生装置内部にミスト発生部を設けても良く、更にオゾン発生部を設けてオゾンの殺菌効果により、顧客顔面のニキビ等の殺菌効果を追加することもできる。また前記例においては、突出部１３から排出するミスト温度を設定する例を説明したが、ミスト排出部４から排出されるミスト温度又は前記導管から排出されるミスト温度を設定する様に構成しても良い。
【００２７】
また前記実施形態においては、水のみを用いる例を説明したが、前記内部カバー６の側面にアロマオイルや薬剤を収納するポケットを設け、加熱部５５からの熱によってアロマオイルや薬剤を蒸発させ、該アロマオイルや薬剤を含有させたミストを発生するようにしても良い。
【００２８】
更に前記実施形態においては、加熱部５５を本体１の底部に設け、加熱部５５からの熱をヒートパイプ５１によりミストに加える例を説明したが、前記ミストに熱を加える手段は、例えば開口部５０から延びる導管の内壁に加熱源を設けても良く、又は導管内のヒートパイプ５１の先端にヒートシンクを設け、該ヒートシンクに切り起こされた複数のフィンから熱をミストに伝える様にしても良い。更に本考案においては、前記空気孔５４の内面にファンを設け、該ファンの回転によって外部空気を空気孔５４から積極的に排出する様に構成しても良い、
【００２９】
＜他の実施形態によるミスト排出部の説明＞
前記実施形態は、ミスト排出部が所謂ヘヤーアイロン型のものに付いて説明したが、本考案は、これに限られるものではなく、この他の実施形態による排出部を図５を参照して説明する。
【００３０】
図５に示したミスト排出部は、例えばパーマ溶液を顧客の髪に塗布した後に、髪に加熱ミストを供するための所謂キャップ５０である。このキャップ５０は、全体外形状が一部が開口したビニール等の可撓性を持つ袋体５１を成し、前記実施形態によるミスト発生装置１の突出部１３に一端が接続された可撓性且つ軽量のホースの他端が接続される連結口５３と、前記袋体５１の開口部が顧客頭部５６の髪を覆う様に締まる弾性体（例えばゴムバント）５４と、前記袋体５１の任意の位置に開口された複数の排出穴５５と、前記袋体５１の後部の略３／４を開閉自在にする開閉ファスナー５２とを備える。
【００３１】
尚、前記排出穴５５のサイズ／数／配置は任意であるが、内部温度を所定温度に保つために、例えば直径５〜１０ｍｍの穴を５〜１０個開口するのが望ましく、前記連結穴５３を下方に配置して上方に向かって加熱ミストを流すため、上方に主に設けるのが望ましい。また当該排出穴５５を設けた理由は、髪に供されて温度が低下したミストを外部に排出し、パーマ溶液の定着率を効率的に高めるためと共に顧客に対して視覚的に加熱ミストの存在及び効果をアピールするためである。
【００３２】
この様に構成されたキャップ５０は、理美容師によって前記開口部が顧客頭部５６の髪を覆い、且つ弾性体５４により頭部へ袋体５１の内部が略密閉する様に覆われた状態において、ミスト発生装置本体１からホースを介して供される加熱ミストを矢印Ｂ方向から内部に充填して膨張し、前記複数の排出穴５５からミストを排出することによって、顧客の髪に塗布したパーマ溶液の定着率を高めることができる。
【００３３】
また本実施形態によるキャップ５０は、理美容師が所定時間内にカールチェック又はカラーチェックを行う場合、前記開閉ファスナー５２を開けることにより、髪の状態を容易にチェックすることができ、従って理美容師の前記チェック作業を簡素化し且つ顧客の不快感を防止することができる。特に本実施形態においては、開閉ファスナー５２の開き具合を理美容師により任意に調整することができ、ファスナーを全開することなく、髪の状態をチェックすることができるため、キャップ内部の温度が急激に低下することも防止することができ、これによってパーマ溶液やカラー染剤の定着率を向上することができる。
【００３４】
【考案の効果】
以上述べた如く本考案によるミスト発生装置は、超音波振動子により発生させたミストを外部に導く空間内に加熱手段であるヒートパイプを配置し、このヒートパイプにより所定温度に加熱したミストを発生することによって、小型軽量化することができ、装置価格も低減することができる。
【００３５】
更に本考案の第１の実施形態によるミスト排出部であるミストアイロンは、２つの挟持部間をミストが流通する様に構成したため、ミストを挟持した髪に十分に供給してミストアスロンを効率的に行うことができる。更にミストを第２の挟持部内に流入し且つ排出可能にしたことにより、第２の挟持部の背面及び側面からミストが外部に排出され、顧客にミストアイロンの効果をアピールすることもできる。
【００３６】
本考案の第２の実施形態によるミスト排出部であるキャップは、頭部を多う袋状の一部に開閉自在なファスナーを設けたことにより、理美容師がキャップを顧客頭部から外すことなくウェブチェック及びカラーチェックを行うことができ、従って理美容師の前記チェック作業を簡素化し且つ顧客の不快感を防止することができる。
【図面の簡単な説明】
【図１】本考案の一実施形態によるミスト発生装置及びミスト供給部を含む全体構成を説明するための図。
【図２】本考案の一実施形態による前記ミスト発生装置の内部構造を説明するための図。
【図３】本実施形態によるカバー部を説明するための図。
【図４】本考案の一実施形態によるミスト排出部を説明するための図。
【図５】本考案の他の実施形態によるミスト排出部を説明するための図。
【符号の説明】
１：ミスト発生装置本体、２：可撓性ホース、３：アーム部、４：ミスト排出部、６：内部カバー、１０ｃ：内部空間、１１：タンク、１２：外部カバー、１３：突出部、１４：操作パネル、３１：支持部、４１ａ：導管、４１：挟持部、４１ｂ：導通空間、４２：挟持部、４２ａ：導通空間、４３：ジョンイント部、５１：ヒートパイプ、５３：加熱部、５５：超音波振動素子、５６：水受部、５７：突起部、５８：溝部、６２：サイド連通部、６３：開口部、６４：開口部。
【図１】
0003098541.tif 000003
【図２】
0003098541.tif 000004
【図３】
0003098541.tif 000005
【図４】
0003098541.tif 000006
【図５】
0003098541.tif 000007